(57)【要約】【課題】風船を確実に割ることができるとともに、安全に遊ぶことができる玩具を提供する。【解決手段】風船４０を割ることができる玩具１０であって、風船４０に接触可能な接触部１８ｂを備えた作動体１８と、前記作動体１８を風船４０に接触する方向に移動させるための作動機構２０と、を備え、前記接触部１８ｂは、前記風船４０の表面に多数の箇所で接触するやすり状である。【選択図】図４
2017217197.tif 000002
【特許請求の範囲】
【請求項１】
風船を割ることができる玩具であって、
風船に接触可能な接触部を備えた作動体と、
前記作動体を風船に接触する方向に移動させるための作動機構と、
を備え、
前記接触部は、前記風船の表面に多数の箇所で接触するやすり状であることを特徴とする、玩具。
【請求項２】
前記接触部は、紙やすりを取り付けて形成されていることを特徴とする、請求項１記載の玩具。
【請求項３】
前記作動機構は、前記接触部が風船の表面を擦るように、前記作動体を移動させることを特徴とする、請求項１又は２記載の玩具。
【請求項４】
前記作動体は、前記作動機構によって回動又は揺動することを特徴とする、請求項１〜３のいずれか１項に記載の玩具。
【請求項５】
前記作動体は、前記作動機構によって発射されることを特徴とする、請求項１〜３のいずれか１項に記載の玩具。
【発明の詳細な説明】
【技術分野】
【０００１】
この発明は、風船を割って遊ぶ玩具に関する。
【背景技術】
【０００２】
風船がいつ割れるかという緊張感を楽しむタイプの玩具が知られている。例えば、非特許文献１に記載された玩具は、風船の方向へ突出可能な針を備えており、風船をセットした状態でタイマーを始動させると、一定時間経過後に針が飛び出して風船に刺さり、風船が破裂するように構成されている。
【先行技術文献】
【非特許文献】
【０００３】
【非特許文献１】株式会社プレイアベニュー、風船時限爆弾、［online］、［平成２８年５月２６日検索］、インターネット〈URL：http://www.playave.com/pa/party/120382.html〉
【発明の概要】
【発明が解決しようとする課題】
【０００４】
しかし、上記したような従来の玩具は、風船を割るために針を使用するものであったため、誤使用によりけがをする可能性があった。
そこで、本発明は、風船を確実に割ることができるとともに、安全に遊ぶことができる玩具を提供することを課題とする。
【課題を解決するための手段】
【０００５】
本発明は、上記した課題を解決するためになされたものであり、以下を特徴とする。
【０００６】
請求項１記載の発明は、風船を割ることができる玩具であって、風船に接触可能な接触部を備えた作動体と、前記作動体を風船に接触する方向に移動させるための作動機構と、を備え、前記接触部は、前記風船の表面に多数の箇所で接触するやすり状であることを特徴とする。
【０００７】
請求項２に記載の発明は、上記した請求項１に記載の発明の特徴点に加え、前記接触部は、紙やすりを取り付けて形成されていることを特徴とする。
【０００８】
請求項３に記載の発明は、上記した請求項１又は２に記載の発明の特徴点に加え、前記作動機構は、前記接触部が風船の表面を擦るように、前記作動体を移動させることを特徴とする。
【０００９】
請求項４に記載の発明は、上記した請求項１〜３のいずれかに記載の発明の特徴点に加え、前記作動体は、前記作動機構によって回動又は揺動することを特徴とする。
【００１０】
請求項５に記載の発明は、上記した請求項１〜３のいずれかに記載の発明の特徴点に加え、前記作動体は、前記作動機構によって発射されることを特徴とする。
【発明の効果】
【００１１】
請求項１に記載の発明は上記の通りであり、風船に接触可能な接触部を備えた作動体と、作動体を風船に接触する方向に移動させるための作動機構と、を備え、接触部は、風船の表面に多数の箇所で接触するやすり状である。このような構成によれば、やすり状の接触部で風船を割るため、針を使用する必要がない。よって、風船を確実に割ることができるとともに、安全性を確保することができる。
【００１２】
また、請求項２に記載の発明は上記の通りであり、接触部は、紙やすりを取り付けて形成されている。このような構成によれば、接触部を安価かつ容易に実現することができる。
【００１３】
また、請求項３に記載の発明は上記の通りであり、作動機構は、接触部が風船の表面を擦るように、作動体を移動させる。このような構成によれば、従来のように針の先端を風船に突き出すような動きではなく、接触部を面で風船に接触させるような動きとなるので、仮に動いている接触部に人体が触れたとしても、けがをしにくい。
【００１４】
また、請求項４に記載の発明は上記の通りであり、作動体は、作動機構によって回動又は揺動する。このような構成によれば、やすり状の接触部で風船の表面をこすって風船を割る構造を容易に実現することができる。
【００１５】
また、請求項５に記載の発明は上記の通りであり、作動体は、作動機構によって発射される。このような構成によれば、作動体を発射して風船を割る玩具を提供することができる。
【図面の簡単な説明】
【００１６】
【図１】玩具の外観図である。
【図２】固定ケースの内部を示す図である。
【図３】（ａ）回転ケースの内部を示す図、（ｂ）ギアを取り外した状態の回転ケースの内部を示す図である。
【図４】作動体の動きを説明する図であって、（ａ）風船を割る前の図、（ｂ）風船を割るときの図である。
【図５】変形例１に係る（ａ）玩具の使用状態説明図、（ｂ）作動体の外観図である。
【図６】変形例２に係る玩具の使用状態説明図である。
【発明を実施するための形態】
【００１７】
本発明の実施形態について、図を参照しながら説明する。
【００１８】
本実施形態に係る玩具１０は、セットした風船４０を割ることができるものであり、図１に示すように、機構収容部１１と、保持バンド１６と、保持板１７と、を備えて構成される。
【００１９】
機構収容部１１は、風船４０を割るための機構を収容する部分であり、図２に示すように、固定ケース１２と、固定ケース１２の一方の面を覆うように取り付けられる回転ケース１３と、固定ケース１２の他方の面を覆うように取り付けられるケースカバー１４と、を備える。
【００２０】
固定ケース１２は、上下両面にギア等が配置された円板状の部材である。この固定ケース１２には、図３（ｂ）に示すように、上下面を貫通するように貫通孔１２ａが設けられている。
【００２１】
固定ケース１２の下面（風船４０を取り付ける側の面）には、図２に示すように、作動体１８と、冠歯車１９ａと、出力ギア２４と、が配置されている。
【００２２】
作動体１８は、後述する作動機構２０によって作動するものであり、後述するケースカバー１４の開口部１４ａからケースの外部へ出没可能に設けられている。本実施形態に係る作動体１８は、図４に示すようなカム形状であり、外周の一部が突出して突出部１８ａを形成している。この突出部１８ａの周面には、紙やすりが取り付けられており、これにより風船４０に接触可能な接触部１８ｂが形成されている。この接触部１８ｂは、風船４０に接触して風船４０を割るための部位である。なお、本実施形態においては紙やすりを取り付けることで接触部１８ｂを形成しているが、これに限らず、接触部１８ｂは風船４０の表面に多数の箇所で接触するやすり状であればよい。例えば、樹脂製の接触部１８ｂの表面に複数の凹凸形状を形成するような態様であってもよい。
【００２３】
この作動体１８は、固定ケース１２に軸支された回動軸１９を備えている。この回動軸１９の端部には冠歯車１９ａが接続されており、冠歯車１９ａが回転したときに回動軸１９及び作動体１８が一体的に回転するようになっている。
【００２４】
出力ギア２４は、上記した冠歯車１９ａに噛合するギアである。この出力ギア２４は、出力軸２４ａを中心に回転する。この出力軸２４ａは、後述する伝達軸２３ａに接続されている。
【００２５】
また、固定ケース１２の上面（風船４０を取り付ける側の反対面）には、図３に示すように、作動体１８を風船４０に接触する方向に移動させるための作動機構２０のほとんどの部分が配置されている。本実施形態に係る作動機構２０は、上記した出力ギア２４と、ゼンマイばね２１と、中央ギア２２と、伝達ギア２３と、で構成されている。
【００２６】
ゼンマイばね２１は、渦巻状に巻かれた板ばねであり、一方の端部が固定ケース１２に係止され、他方の端部が中央ギア２２に係止されている。このゼンマイばね２１は、回転ケース１３を固定ケース１２に対して回転したときに付勢力を蓄積し、この蓄積した付勢力によって中央ギア２２を回転させるためのものである。
【００２７】
中央ギア２２は、回転ケース１３と一体的に回転するように設けられたギアである。この中央ギア２２の回転軸２２ａは、回転ケース１３の回転軸２２ａともなっている。
【００２８】
伝達ギア２３は、中央ギア２２に噛合するギアである。この伝達ギア２３は、伝達軸２３ａを中心に回転する。伝達軸２３ａは、固定ケース１２の貫通孔１２ａを貫通して反対側の面まで突出し、上記した出力軸２４ａに接続されている。この伝達軸２３ａは、ワンウェイクラッチ機構（図示せず）を備えており、一方向の回転力のみを出力軸２４ａに伝達するようになっている。詳しくは、ゼンマイばね２１に付勢力を蓄積する方向へ回転ケース１３が回転したときには、出力軸２４ａへ力を伝達しない一方、ゼンマイばね２１の付勢力が開放される方向へ回転ケース１３が回転したときには、出力軸２４ａへ力を伝達するようになっている。
【００２９】
回転ケース１３は、固定ケース１２に対して回転可能に設けられた有底筒状の部材である。この固定ケース１２には、上述した中央ギア２２の回転軸２２ａが固定されている。このため、回転ケース１３を固定ケース１２に対して回転させると、回転軸２２ａが一体的に回転し、中央ギア２２が回転するようになっている。このように回転ケース１３を固定ケース１２に対して回転させることで、中央ギア２２が回転してゼンマイばね２１に付勢力が蓄積されるようになっている。
【００３０】
ケースカバー１４は、風船４０の表面に臨むように固定ケース１２に対して取り付けられる蓋状の部材である。このケースカバー１４には、図２に示すように、風船４０に臨むように開口部１４ａが設けられている。この開口部１４ａからは、作動体１８の接触部１８ｂが出没可能となっている。
【００３１】
保持バンド１６は、伸縮可能な帯状部材であり、例えばゴム製のベルトなどである。本実施形態においては、２本の保持バンド１６がそれぞれ機構収容部１１の両側に取り付けられる。
【００３２】
保持板１７は、２本の保持バンド１６の端部を繋ぐように取り付けられた板状部材である。この保持板１７は、保持バンド１６をリング状に繋げるとともに、リング状の内側に押し込んだ風船４０を安定的に保持するためのものである。
【００３３】
この玩具１０で遊ぶときには、まず、図１に示すように、ふくらませた風船４０を保持バンド１６の内側に押し込む。押し込まれた風船４０は保持バンド１６の弾性力によって保持される。
【００３４】
そして、回転ケース１３を回転させてゼンマイばね２１に付勢力を蓄積させる。すなわち、回転ケース１３を固定ケース１２に対して回転させると、中央ギア２２も固定ケース１２に対して回転するので、中央ギア２２と固定ケース１２との間に設けられたゼンマイばね２１が巻かれて付勢力が蓄積される。このとき、中央ギア２２が回転することで伝達ギア２３も回転するが、この伝達ギア２３の回転力はワンウェイクラッチ機構によって出力ギア２４の出力軸２４ａには伝達されない。よって、作動体１８は作動しない。
【００３５】
回転ケース１３を固定ケース１２に対して十分に回転させた後に、回転ケース１３を離すと、ゼンマイばね２１に蓄積された付勢力によって回転ケース１３が逆回転を始める。回転ケース１３が逆回転を始めると、中央ギア２２も固定ケース１２に対して逆回転する。中央ギア２２が逆回転することで伝達ギア２３も逆回転し、この伝達ギア２３の回転力が出力ギア２４の出力軸２４ａに伝達される。このため、図４に示すように、作動体１８が徐々に回転していく。
【００３６】
作動体１８は、図４（ａ）に示すように、回転ケース１３が逆回転を始めた直後は機構収容部１１の内部に収容されており、接触部１８ｂが突出していない。その後、ゼンマイばね２１が伸びきる直前に、図４（ｂ）に示すように、接触部１８ｂが開口部１４ａから突出して風船４０の表面を擦るように移動する。このときに、接触部１８ｂの紙やすりによって風船４０が割れるようになっている。
【００３７】
このような玩具１０によれば、いつ風船４０が割れるかという緊張を味わいながら遊ぶことができる。そして、針を使用しないので、仮に接触部１８ｂを触ったとしてもけがをすることがない。
なお、上記した実施形態においては、作動体１８が回転するようにしているが、本発明の実施形態はこれに限らない。
【００３８】
例えば、図５に示すような発射式の玩具３０としてもよい。この玩具３０は、発射装置３１と、作動体３２と、風船４０を保持する風船保持部３３と、を備える。作動体３２は、弾性を有する柔らかい素材（ウレタンなど）で形成された軸体３２ａと、軸体３２ａの先端側に設けられた緩衝部３２ｃと、緩衝部３２ｃの先端に取り付けられた接触部３２ｂと、を備える。緩衝部３２ｃは、軸体３２ａとほぼ同径で形成されるとともに、軸体３２ａよりも密度が高い弾性材料（例えばエラストマー系の樹脂など）で形成されている。このため、緩衝部３２ｃは、作動体３２を飛ばすときの錘になるとともに、何かに当たったときの衝撃を和らげるようになっている。接触部３２ｂは、風船４０の表面に多数の箇所で接触するやすり状に形成されており、例えば紙やすりを取り付けて形成されている。発射装置３１には、この作動体３２を発射するための公知の作動機構が内蔵されている。この玩具３０で遊ぶときには、まず発射装置３１に作動体３２をセットし、風船保持部３３に風船４０をセットする。そして、風船４０を狙って発射装置３１のトリガを引けば、発射装置３１から作動体３２が発射され、作動体３２の接触部３２ｂが風船４０に当たることで風船４０が割れる。
【００３９】
また、図６に示すような玩具３５としてもよい。この玩具３５は、玩具本体３６と、玩具本体３６の先端において風船４０を保持する保持バンド３７と、を備える。特に図示しないが、玩具本体３６の内部には、例えば図２と同様に回動又は揺動する作動体が内蔵されており、玩具本体３６の先端から作動体が出没可能となっている。作動体は、風船４０に接触可能な接触部を備え、この接触部は、風船４０の表面に多数の箇所で接触するやすり状に形成されている。接触部は、例えば紙やすりを取り付けて形成されている。接触部は、玩具本体３６のトリガを操作したときに玩具本体３６の先端から突出するようになっているが、接触部が突出するか否かはランダムに変化するようになっている。よって、玩具本体３６のトリガを操作したときに接触部が突出して風船４０を割るかどうかは、トリガを操作しなければ分からないようになっている。この玩具３５で遊ぶときには、保持バンド３７に風船４０をセットし、玩具本体３６のトリガを引く。このとき、所定の条件が成立していれば風船４０が割れ、所定の条件が成立していなければ風船４０が割れないので、風船４０がいつ割れるかという緊張感を楽しむことができる。
【００４０】
以上説明したように、本実施形態によれば、風船４０に接触可能な接触部１８ｂを備えた作動体１８と、作動体１８を風船４０に接触する方向に移動させるための作動機構２０と、を備え、接触部１８ｂは、風船４０の表面に多数の箇所で接触するやすり状である。このような構成によれば、やすり状の接触部１８ｂで風船４０を割るため、針を使用する必要がない。よって、風船４０を確実に割ることができるとともに、安全性を確保することができる。
【００４１】
また、接触部１８ｂは、紙やすりを取り付けて形成されている。このような構成によれば、接触部１８ｂを安価かつ容易に実現することができる。
【００４２】
また、作動機構２０は、接触部１８ｂが風船４０の表面を擦るように、作動体１８を移動させる。このような構成によれば、従来のように針の先端を風船４０に突き出すような動きではなく、接触部１８ｂを面で風船４０に接触させるような動きとなるので、仮に動いている接触部１８ｂに人体が触れたとしても、けがをしにくい。
【００４３】
また、作動体１８が作動機構２０によって回動又は揺動するようにすれば、やすり状の接触部１８ｂで風船４０の表面をこすって風船４０を割る構造を容易に実現することができる。
【００４４】
また、作動体３２が作動機構によって発射されるようにすれば、作動体３２を発射して風船４０を割る玩具３０を提供することができる。
【符号の説明】
【００４５】
１０  玩具
１１  機構収容部
１２  固定ケース
１２ａ  貫通孔
１３  回転ケース
１４  ケースカバー
１４ａ  開口部
１６  保持バンド
１７  保持板
１８  作動体
１８ａ  突出部
１８ｂ  接触部
１９  回動軸
１９ａ  冠歯車
２０  作動機構
２１  ゼンマイばね
２２  中央ギア
２２ａ  回転軸
２３  伝達ギア
２３ａ  伝達軸
２４  出力ギア
２４ａ  出力軸
３０  玩具
３１  発射装置
３２  作動体
３２ａ  軸体
３２ｂ  接触部
３２ｃ  緩衝部
３３  風船保持部
３５  玩具
３６  玩具本体
３７  保持バンド
４０  風船
【図１】
2017217197.tif 000003
【図２】
2017217197.tif 000004
【図３】
2017217197.tif 000005
【図４】
2017217197.tif 000006
【図５】
2017217197.tif 000007
【図６】
2017217197.tif 000008